(57)【要約】【課題】外部アクセサリの接続箇所を発光源が直接照明可能で、暗所における外部アクセサリの接続操作性を向上させ、かつ接続箇所を保護する蓋部材の開閉に応じて、適切な発光制御を行うことができる電子機器を提供する。【解決手段】電子機器は、機器本体１と、機器本体１に設けられ、電気的に接続される外部アクセサリ１８ａを挿抜可能に挿入するための挿入部１５と、機器本体１に対して開閉可能に設けられ、閉じ状態で挿入部１５と外部アクセサリ１８ａとの電気的な接続箇所を覆う蓋部材３０と、蓋部材３０の閉じ状態において、蓋部材３０の内側に配置される発光源２１ａと、蓋部材３０に設けられ、蓋部材３０の閉じ状態において、発光源２１ａから発光された光線を蓋部材３０の外部へ導光する導光部３１ａと、蓋部材３０の開閉状態に応じて、発光源２１ａの少なくとも発光量を変更するように制御する制御手段と、を備える。【選択図】図３
2019128451.tif 000002
【特許請求の範囲】
【請求項１】
機器本体と、
前記機器本体に設けられ、電気的に接続される外部アクセサリを挿抜が可能に挿入するための挿入部と、
前記機器本体に対して開閉可能に設けられ、閉じ状態で前記挿入部と前記外部アクセサリとの電気的な接続箇所を覆う蓋部材と、
前記蓋部材の閉じ状態において、前記蓋部材の内側に配置される発光源と、
前記蓋部材に設けられ、前記蓋部材の閉じ状態において、前記発光源から発光された光線を前記蓋部材の外部へ導光する導光部と、
前記蓋部材の開閉状態に応じて、前記発光源の少なくとも発光量を変更するように制御する制御手段と、を備えることを特徴とする電子機器。
【請求項２】
前記制御手段は、前記蓋部材の開閉状態に応じて、前記発光源から発光される光線の色および発光パターンを変更するように制御することを特徴とする請求項１に記載の電子機器。
【請求項３】
前記導光部は、前記蓋部材の閉じ状態において、前記発光源から発光された光線の方向を変える反射面を有することを特徴とする請求項１又は２に記載の電子機器。
【請求項４】
前記発光源は、前記蓋部材の開き状態において、発光された光線の方向が前記外部アクセサリの挿抜方向と略平行にならないように配置されていることを特徴とする請求項１乃至３のいずれか一項に記載の電子機器。
【請求項５】
前記発光源は、前記蓋部材の開き状態において、前記挿入部に向けて光を照射するように配置されていることを特徴とする請求項１乃至４のいずれか一項に記載の電子機器。
【請求項６】
前記機器本体は、周辺環境の光の光量を検知する検知手段を備え、
前記制御手段は、前記蓋部材の開き状態において、前記検知手段により検知された光量に応じて前記発光源の発光量を変更するように制御することを特徴とする請求項１乃至５のいずれか一項に記載の電子機器。
【請求項７】
前記機器本体は、撮像素子を有し、前記発光源から発光された光線が前記撮像素子に入射しないように遮光する遮光部材を有することを特徴とする請求項１乃至６のいずれか一項に記載の電子機器。
【請求項８】
前記外部アクセサリは、データの記録が可能な記録メディアであることを特徴とする請求項１乃至７のいずれか一項に記載の電子機器。
【請求項９】
前記制御手段は、前記記録メディアの通信状況に応じて、前記発光源の発光パターンを変更するように制御することを特徴とする請求項８に記載の電子機器。
【請求項１０】
前記制御手段は、前記記録メディアの残容量に応じて、前記発光源の発光パターンを変更するように制御することを特徴とする請求項８又は９に記載の電子機器。
【請求項１１】
前記制御手段は、前記記録メディアが前記挿入部に挿入されているか否かで前記発光源の発光パターンを変更するように制御することを特徴とする請求項８乃至１０のいずれか一項に記載の電子機器。
【請求項１２】
前記発光源は、ＬＥＤであることを特徴とする請求項１乃至１０いずれか一項に記載の電子機器。
【発明の詳細な説明】
【技術分野】
【０００１】
本発明は、照明機能を有するデジタルカメラやデジタルビデオカメラ等の撮像装置を含む電子機器に関し、特に外部アクセサリとの接続箇所の照明構成に関する。
【背景技術】
【０００２】
デジタルカメラ等の電子機器では、操作部材を目視で確認しづらい暗所において、ユーザが操作する際の操作性が悪化する場合がある。特に外部アクセサリを電気的に接続する電子機器の場合、外部アクセサリ自体の確認や接続箇所の確認など、目視確認が求められることが多い。
【０００３】
従来、既設の発光源を導光部材により導光することで、メモリカードの挿入口を照明するデジタルカメラが提案されている（特許文献１）。この提案では、ストロボや液晶モニタのバックライトからの漏光をメモリカードの挿入口に導光することで、専用の光源を設けることなく、暗所における操作性向上を図ることができるとしている。
【先行技術文献】
【特許文献】
【０００４】
【特許文献１】特開２００４−６１５７１号公報
【発明の概要】
【発明が解決しようとする課題】
【０００５】
上記特許文献１では、既設の発光源から導光部材を介してメモリカードの挿入口を照明する構成が開示されているが、発光源には周囲を明るくするために大きな光量による発光が求められる。このため、導光部材を介することによる減光を避け、発光源から直接照射できる構成が望ましい。また、既設の光源本来の機能を使用しつつ一つの光源から同時に他の箇所に導光して照明する場合、照明対象に応じた光量や色、発光パターン等の調整が難しい。例えば、液晶モニタのバックライトの光を他の箇所の照明に用いる場合、バックライトの輝度を下げると、照明の出力も減少される。よって、発光源は、使用シーンに求められる機能に応じて明確に分けて発光させる必要がある。
【０００６】
そこで本発明の目的は、外部アクセサリの接続箇所を発光源が直接照明可能で、暗所における外部アクセサリの接続操作性を向上させ、かつ接続箇所を保護する蓋部材の開閉に応じて、適切な発光制御を行うことができる電子機器を提供することにある。
【課題を解決するための手段】
【０００７】
上記目的を達成するために、本発明の電子機器は、機器本体と、前記機器本体に設けられ、電気的に接続される外部アクセサリを挿抜が可能に挿入するための挿入部と、前記機器本体に対して開閉可能に設けられ、閉じ状態で前記挿入部と前記外部アクセサリとの電気的な接続箇所を覆う蓋部材と、前記蓋部材の閉じ状態において、前記蓋部材の内側に配置される発光源と、前記蓋部材に設けられ、前記蓋部材の閉じ状態において、前記発光源から発光された光線を前記蓋部材の外部へ導光する導光部と、前記蓋部材の開閉状態に応じて、前記発光源の少なくとも発光量を変更するように制御する制御手段と、を備えることを特徴とする。
【発明の効果】
【０００８】
本発明によれば、外部アクセサリの接続箇所を発光源が直接照明可能で、暗所における外部アクセサリの接続操作性を向上させ、かつ接続箇所を保護する蓋部材の開閉に応じて、適切な発光制御を行うことができる。
【図面の簡単な説明】
【０００９】
【図１】本発明の電子機器の第１の実施形態に係るデジタル一眼レフカメラを示す外観斜視図である。
【図２】（ａ）はメディアスロットのカバーが閉じた状態をカメラ本体の背面側から見た図、（ｂ）はカバーが開いた状態を示す図、（ｃ）は（ｂ）のメディアスロットに記録メディアが挿入された状態を示す図である。
【図３】（ａ）は図２（ａ）のＡ−Ａ線断面図、（ｂ）は図２（ｃ）のＢ−Ｂ線断面図である。
【図４】使用者がカメラ本体を手に持ちながら操作をしている状態を示すイメージ図である。
【図５】ＬＥＤによるメディアスロットの照明制御処理を説明するフローチャート図である。
【図６】本発明の電子機器の第２の実施形態に係るデジタル一眼レフカメラにおいて、（ａ）はカバーの閉じ状態をカメラ本体の背面側から見た状態を示す図、（ｂ）はカバーの開き状態をカメラ本体の背面側から見た状態を示す図である。
【図７】図６（ａ）のＣ−Ｃ線断面図である。
【発明を実施するための形態】
【００１０】
以下、図面を参照して、本発明の実施形態を説明する。
【００１１】
（第１の実施形態）
図１（ａ）は本発明の電子機器の第１の実施形態に係るデジタル一眼レフカメラを正面側から見た斜視図、図１（ｂ）は図１（ａ）に示すデジタル一眼レフカメラを背面側から見た斜視図である。なお、本実施形態では、本発明の電子機器として、撮像装置の一例であるデジタル一眼レフカメラを例示するが、これに限定されない。
【００１２】
本実施形態のデジタル一眼レフカメラ（以下、カメラという。）は、図１（ａ）に示すように、カメラ本体１の正面側（被写体側）に交換式のレンズ鏡筒３が着脱可能に装着されている。カメラ本体１の正面側から見て左側には、撮影者がカメラ本体１を安定して保持するためのグリップ部１ａが設けられ、グリップ部１ａの上部には、シャッタ釦２が設けられている。シャッタ釦２の押下によって、レンズ鏡筒３の撮影光学系を通した光束が撮像素子（不図示）に導かれ、画像を撮影することができる。撮影した画像データは取り外し可能な記録メディア１８ａ，１８ｂ（図２（ｃ）参照）に保存することができる。カメラ本体１は、本発明の機器本体の一例に相当する。
【００１３】
カメラ本体１の底部には、バッテリユニット５が着脱可能に装着されており、カメラ本体１は、バッテリユニット５の給電によって動作する。また、カメラ本体１の正面側から見て右側の側部には、外部アクセサリが電気的に接続される外部インタフェース接続部６が設けられている。外部インタフェース接続部６は、複数の接続部６ａ〜６ｄを有し、図１（ａ）の状態では、各接続部６ａ〜６ｄは開閉可能な蓋部材により覆われている。
【００１４】
カメラ本体１の背面部には、図１（ｂ）に示すように、カメラの起動／停止を行うための電源スイッチ７が設けられ、カメラ本体１の背面上部には、ファインダ８が設けられている。ファインダ８には、レンズ鏡筒３の撮影光学系を通して撮像される領域が映し出され、ファインダ８の上部には、周辺環境の外光の光量を検知する外光検知センサ１６が設けられている。
【００１５】
カメラ本体１の背面側から見て右上部には、現在の設定項目を表示する上面表示部１０が設けられ、また、背面下部には、現在の撮影可能枚数や保存されるメディアの情報を表示する背面表示部１１が設けられている。上面表示部１０と背面表示部１１は、それぞれバックライトを有しており、カメラ本体１の上面部に設けられたバックライト点灯釦９を押下することで、バックライトが点灯し、暗所でもユーザが撮影設定やメディアの状態を目視確認することができる。
【００１６】
カメラ本体１の背面側から見て右側の下部には、接続部１２が設けられ、接続部１２には、有線式のリモートコントローラが電気的に接続される。図１（ｂ）の状態では、接続部１２は、開閉可能な蓋部材により覆われている。カメラ本体１の背面右側には、記録メディアを挿入する挿入部としてのメディアスロット１５（図２参照）が設けられ、メディアスロット１５は、蓋部材としてのカバー３０によって開閉可能に覆われている。カバー３０は、開放つまみ１３によって開閉させることができる。
【００１７】
次に、図２を参照して、メディアスロット１５の照明機能について説明する。図２（ａ）はメディアスロット１５のカバー３０が閉じた状態をカメラ本体１の背面側から見た図、図２（ｂ）はカバー３０が開いた状態を示す図、図２（ｃ）は図２（ｂ）のメディアスロット１５に記録メディア１８ａ，１８ｂが挿入された状態を示す図である。
【００１８】
図２（ａ）に示す状態では、メディアスロット１５はカバー３０によって開閉可能に覆われており、外部には露出していない。カバー３０には、２つの導光部材３１ａ，３１ｂが設けられており、導光部材３１ａ，３１ｂは、カバー３０の閉じ状態においても外装面に露出している。
【００１９】
図２（ｂ）に示すように、カバー３０がカメラ本体１に対して回動軸３４を中心に回動することで開き状態となり、メディアスロット１５が露出する。メディアスロット１５には、メディア挿入口１５ａ，１５ｂが記録メディア１８ａ，１８ｂに対応して設けられている。メディア挿入口１５ａ，１５ｂに、それぞれ記録メディア１８ａ，１８ｂが挿入された状態を図２（ｃ）に示す。挿入された記録メディア１８ａ，１８ｂは、メディア挿入口１５ａ，１５ｂの下端に設けられている取出し釦１９ａ，１９ｂを使用者が押下することで、排出方向に押し出され、取り出すことができる。
【００２０】
メディアスロット１５の上端には、メディアスロット１５周辺部を照明する発光源としての２つのＬＥＤ２１ａ，２１ｂがカバー３０の内側に位置して設けられている。ＬＥＤ２１ａ，２１ｂは、メディアスロット１５の取出し釦１９ａ，１９ｂと反対側の端部に配置されている。これにより、記録メディア１８ａ，１８ｂの取出し操作中に使用者の指によってＬＥＤ２１ａ，２１ｂの発光が遮蔽されないという効果が得られる。
【００２１】
メディアスロット１５のカバー３０には、カバー３０を常に開き状態へ付勢するねじりコイルバネ３３が設けられている。また、カバー３０の裏面には、係止フック３２が取り付けられており、メディア挿入口１５ａの側部には、係止レバー１７が係止フック３２に対応して設けられている。また、係止レバー１７の近傍には、開閉検知センサ２０が設けられており、開閉検知センサ２０は、係止フック３２が係止レバー１７に係止されると、カバー３０の閉じ状態を検知することができる。
【００２２】
カバー３０の閉じ状態では、係止フック３２が係止レバー１７に係止されることで、カバー３０の開き方向への回動を規制している。また、係止レバー１７は、開放つまみ１３（図１（ｂ）参照）に連動しており、使用者が開放つまみ１３を回すと係止レバー１７と係止フック３２の係止が解除されてカバー３０が開く。逆に、カバー３０を開き状態から閉じ状態へと移行する場合は、使用者がカバー３０を閉じ状態側へと押し込むことで、係止フック３２と係止レバー１７が係止され、閉じ状態となる。
【００２３】
次に、図３及び図４を参照して、メディアスロット１５のカバー３０の開閉動作に伴う導光経路の切替とその効果について説明する。
【００２４】
図３（ａ）は図２（ａ）のＡ−Ａ線断面図、図３（ｂ）は図２（ｃ）のＢ−Ｂ線断面図である。なお、図３において、破線矢印はＬＥＤ２１ａ，２１ｂの光線を表している。図４は、使用者がカメラ本体１を手に持ちながら操作をしている状態を示すイメージ図である。図４（ａ）は、カバー３０の閉じ状態における操作を想定しており、記録メディア１８ａ，１８ｂへの通信状況を確認しながら撮影を行っている状態を示すイメージ図である。図４（ｂ）は、カバー３０の開き状態における操作を想定しており、暗所において記録メディア１８ａ，１８ｂの挿抜操作を行っている状態を示すイメージ図である。
【００２５】
図３（ａ）では、カバー３０の閉じ状態におけるメディアスロット１５の照明機能の導光経路を示している。図３（ａ）に示すように、発光源であるＬＥＤ２１ａから照射された光線は、カバー３０に設けられた導光部材３１ａに入光し、カバー３０の外部へと導かれる。このとき、導光部材３１ａに設けられた反射面３１１ａによって光線は反射される。この反射によって、図４（ａ）に示すように、光線の反射方向がユーザの視界に入光しやすい方向となり、記録メディア１８ａの通信状況を確認するためのアクセスランプなど、少ない光量で常時使用するような機能に適した構成となる。なお、ＬＥＤ２１ｂについても同様である。
【００２６】
一方、図３（ｂ）では、カバー３０の開き状態におけるメディアスロット１５の照明機能の導光経路を示している。図３（ｂ）に示すように、導光部材３１ａはカバー３０の開き方向の回動に伴い、発光源であるＬＥＤ２１ａからは退避しており、照射された光線はそのままメディア挿入口１５ａの周囲を照明する。ここで、ＬＥＤ２１ａはメディア挿入口１５ａの方向に発光し、かつ取出し釦１９ａを跨がない位置に配置されている。これにより、使用者が記録メディア１８ａの挿抜操作を行っている場合でも、使用者の指によって遮光されないという効果が得られる。なお、ＬＥＤ２１ｂについても同様である。
【００２７】
また、カバー３０の開き状態では、記録メディア１８ａ，１８ｂの挿抜方向とＬＥＤ２１ａ，２１ｂの発光方向が略平行にならないようにＬＥＤ２１ａ，２１ｂを配置する。これにより、図４（ｂ）に示すように、使用者が暗所において記録メディア１８ａ，１８ｂを挿抜する際、大光量による発光が直接視界に入射することがなく、眩しくならずに操作が行えるため、メディアスロット１５の照明発光に適した構成となる。また、図３に示すように、カメラ本体１の内部においてメディアスロット１５の周囲の隙間は遮光部材１４によって密閉されており、不図示の撮像素子に漏光しないような構成となっている。
【００２８】
次に、図５を参照して、ＬＥＤ２１ａ，２１ｂによるメディアスロット１５の照明制御方法について説明する。図５は、ＬＥＤ２１ａ，２１ｂによるメディアスロット１５の照明制御処理を説明するフローチャート図である。なお、図５の各処理は、カメラ本体１内の不図示の制御回路のＲＯＭ等に記憶されたプログラムがＲＡＭに展開されてＣＰＵ等により実行される。
【００２９】
図５において、ステップＳ５０１では、制御回路は、開閉検知センサ２０の出力によってメディアスロット１５のカバー３０の開閉状態を確認し、開き状態の場合は、ステップＳ５０２に進み、閉じ状態の場合は、ステップＳ５０４に進む。
【００３０】
ステップＳ５０２では、制御回路は、記録メディア１８ａ，１８ｂへの通信状況を確認し、記録メディア１８ａ，１８ｂにデータの書き込みや読み出しが行われている場合は、ステップＳ５０７に進み、そうでない場合は、ステップＳ５０３に進む。
【００３１】
ステップＳ５０７では、データの書き込みや読み出しが行われている場合に記録メディア１８ａ，１８ｂが取り出されてしまうと、記録データの破損につながる恐れがある。このため、制御回路は、ＬＥＤ２１ａ，２１ｂを大きな光量で点滅発光させることで、記録メディア１８ａ，１８ｂを取り出さないように警告し、処理を終了する。
【００３２】
ここで、記録メディア１８ａにのみ通信中なのであれば、メディア挿入口１５ａの直上にあるＬＥＤ ２１ａのみを警告発光させる。このように、該当するメディア挿入口の近傍に位置するＬＥＤを発光させることで、使用者にどの記録メディアに対して警告しているのかを明示することができる。
【００３３】
ステップＳ５０３では、制御回路は、記録メディア１８ａ，１８ｂが通信中ではないので、周辺環境の明るさを確認する。具体的には、外光検知センサ１６の出力値が所定値以下の場合、周辺環境が暗いと判断し、ステップＳ５０５に進み、そうでない場合は、ステップＳ５０６に進む。
【００３４】
ステップＳ５０５では、制御回路は、すべてのＬＥＤ２１ａ，２１ｂを大きな光量で連続発光させ、照明機能として動作させ、処理を終了する。これにより、暗所における記録メディア１８ａ，１８ｂの挿抜操作時において、照明機能が働き、挿抜操作性を向上できる。一方、ステップＳ５０６では、周辺環境が暗くないので、制御回路は、ＬＥＤ２１ａ，２１ｂの非発光制御を行い、処理を終了する。これにより、使用者が目視確認できる状況では発光を行わず、消費電力を抑えることができる。
【００３５】
ステップＳ５０４では、カバー３０が閉じ状態であるため、制御回路は、記録メディア１８ａ，１８ｂが１枚以上挿入されていることを確認する。そして、制御回路は、記録メディア１８ａ，１８ｂが１枚も挿入されていない場合は、ステップＳ５０９に進み、１枚以上挿入されている場合は、ステップＳ５０８に進む。
【００３６】
ステップＳ５０９では、制御回路は、長い時間間隔でＬＥＤ２１ａ，２１ｂの小光量での点滅発光を行い、処理を終了する。これにより、記録メディア１８ａ，１８ｂが１枚も挿入されていないことを使用者に警告し、記録メディア１８ａ，１８ｂの挿入を忘れたまま撮影を続けてしまうことの発生を抑えることができる。
【００３７】
ステップＳ５０８では、記録メディア１８ａ，１８ｂが１枚以上挿入されているので、制御回路は、記録メディア１８ａ，１８ｂの残容量が所定値以上であることを確認する。そして、制御回路は、記録メディア１８ａ，１８ｂの残容量が所定値未満の場合、ステップＳ５１０に進み、所定値以上の場合は、ステップＳ５１１に進む。
【００３８】
ステップＳ５１０では、制御回路は、ＬＥＤ２１ａ，２１ｂの小光量での連続発光を行い、残量未満であることを警告し、処理を終了する。一般的に、記録メディア１８ａ，１８ｂの残容量はカメラ本体１に設けられたディスプレイで確認することが可能であるが、カバー３０上の導光部材３１ａ，３１ｂが発光することで、より使用者の目に入りやすく、残容量未満の警告を行うことができる。
【００３９】
ステップＳ５１１では、記録メディア１８ａ，１８ｂの残容量が所定値以上であるので、制御回路は、ＬＥＤ２１ａ，２１ｂをアクセスランプとして小光量で点滅発光させ、処理を終了する。例えば、記録メディア１８ａのみが通信中であれば、ＬＥＤ ２１ａを点滅発光させる。通信中の記録メディア１８ａ，１８ｂに対応したＬＥＤ２１ａ，２１ｂが各々点滅発光することで、使用者はどの記録メディア（あるいは両方の記録メディア）が通信しているかを把握することができ、適切に記録や読み出しが行われていることを確認できる。
【００４０】
以上より、メディアスロット１５のカバー３０の開閉や周辺環境の明るさ、記録メディア１８ａ，１８の通信状況等に応じて、ＬＥＤ２１ａ，２１ｂの発光量や発光パターンを必要な発光状態へ切換え、対応する発光制御を行うことができる。
【００４１】
以上説明したように、本実施形態では、記録メディア１８ａ，１８ｂの接続箇所をＬＥＤ２１ａ，２１ｂが直接照明することができる。また、暗所での記録メディア１８ａ，１８ｂの接続操作性を向上させ、かつ接続箇所を保護するカバー３０の開閉に応じて、適切な発光制御を行うことができる。
【００４２】
（第２の実施形態）
次に、図６及び図７を参照して、本発明の電子機器の第２の実施形態に係るカメラについて説明する。なお、本実施形態では、上記第１の実施形態と重複する部分については、各図に同一符号を付して説明する。
【００４３】
図６（ａ）はカバー３０の閉じ状態をカメラ本体１の背面側から見た状態を示す図、図６（ｂ）はカバー３０の開き状態をカメラ本体１の背面側から見た状態を示す図である。なお、図６（ｂ）では、メディアスロット１５のメディア挿入口１５ａ，１５ｂに記録メディア１８ａ，１８ｂが挿入された状態を示している。図７は、図６（ａ）のＣ−Ｃ線断面図であり、カバー３０の閉じ状態におけるＬＥＤ２１ａ，２１ｂの光の導光経路を示している。
【００４４】
上記第１の実施形態では、カメラ本体１側にＬＥＤ２１ａ，２１ｂを配置した構成を例示したが、本実施形態では、蓋部材としてのメディアスロット１５のカバー３０にＬＥＤ２１ａ，２１ｂを配置する構成について説明する。
【００４５】
図６（ａ）に示すカバー３０の閉じ状態では、上記第１の実施形態と同様に、メディアスロット１５はカバー３０によって覆われており、外部には露出していない。また、カバー３０には、導光部材４１が設けられており、カバー３０の閉じ状態においても外装面に露出している。
【００４６】
図７の破線矢印は、カバー３０の裏面側（内側）に配置されたフルカラーＬＥＤ４２の光線を表している。破線矢印に示すように、フルカラーＬＥＤ４２の光線は、カメラ本体１に配置された反射部材４３により反射されることで、導光部材４１を介してカバー３０の外側へと導かれる。このとき、導光部材４１を介してカバー３０の外側へと導かれた光線は、上記第１の実施形態の図４（ａ）と同様に、使用者の視界に入りやすい方向に照射され、アクセスランプ等に適した構成となる。また、フルカラーＬＥＤ４２の発光は、アクセスランプで用いられることの多い赤色を用いている。
【００４７】
図６（ｂ）に示すカバー３０の開き状態では、カバー３０に配置されたフルカラーＬＥＤ４２は、カバー３０の開き方向への回動に伴い、カメラ本体１から離れ、メディアスロット１５全体を照明することができる。このとき、メディアスロット１５や記録メディア１８ａ，１８ｂの見易さを考慮し、フルカラーＬＥＤ４２の発光には白色を用いる。
【００４８】
以上の構成によって、本実施形態では、カバー３０の開閉に応じて、フルカラーＬＥＤ４２の発光をメディアスロット１５の照明や記録メディア１８ａ，１８ｂのアクセスランプとして切替えることができる。また、フルカラーＬＥＤ４２の発光色を変化させることで、使用者に対してカバー３０の開閉状態が切り替わったことを明示する効果も得られる。その他の構成、及び作用効果は、上記第１の実施形態と同様である。
【００４９】
なお、本発明の構成は、上記各実施形態に例示したものに限定されるものではなく、材質、形状、寸法、形態、数、配置箇所等は、本発明の要旨を逸脱しない範囲において適宜変更可能である。
【００５０】
例えば、上記各実施形態では、メディアスロット１５の照明について例示したが、外部インタフェース接続部６の照明についても同様に本発明を適用することも可能である。また、例えば外光検知センサ１６を有していない場合、カバー３０の開き状態では、バックライト点灯釦９に連動して照明機能のオン／オフを切り替えるようにしてもよい。
【符号の説明】
【００５１】
１  カメラ本体
１５  メディアスロット
１６  外光検知センサ
１８ａ，１８ｂ  記録メディア
２０  開閉検知センサ
２１ａ，２１ｂ  ＬＥＤ
３０  カバー
３１ａ，３１ｂ  導光部材
３１１ａ  反射面
【図１】
2019128451.tif 000003
【図２】
2019128451.tif 000004
【図３】
2019128451.tif 000005
【図４】
2019128451.tif 000006
【図５】
2019128451.tif 000007
【図６】
2019128451.tif 000008
【図７】
2019128451.tif 000009